(57)【特許請求の範囲】
【請求項１】
公衆交換電話網に接続されている親機と、当該親機が受けた着信の転送を受ける子機とを含む電話機であって、
サーバと接続する接続部をさらに備え、
上記親機は、
ユーザが上記子機を使用した場合に、当該使用を示す情報である使用情報を取得する使用情報取得部と、
上記使用情報取得部が取得した上記使用情報を含む使用履歴情報を、上記接続部を介して上記サーバに送信する使用履歴情報送信部と、
を備えており、
上記使用情報には、上記子機による発信動作又は当該動作による発信に関わる情報を含む発信情報が含まれていることを特徴とする電話機。
【請求項２】
上記使用履歴情報は、上記使用情報取得部が取得した上記使用情報と、ユーザが上記親機を使用した場合に、当該使用を示す情報とを、当該電話機の使用を示す情報として含むことを特徴とする請求項１に記載の電話機。
【請求項３】
公衆交換電話網に接続されている親機と、当該親機が受けた着信の転送を受ける子機とを含む電話機であって、
サーバと接続する接続部をさらに備え、
上記親機は、
ユーザが上記子機を使用した場合に、当該使用を示す情報である使用情報を取得する使用情報取得部と、
上記使用情報取得部が取得した上記使用情報を含む使用履歴情報を、上記接続部を介して上記サーバに送信する使用履歴情報送信部と、
を備えており、
上記親機は、
ユーザが迷惑電話であると判断した電話番号である拒否番号を含む拒否番号リストと、ユーザが迷惑電話ではないと判断した電話番号である許可番号を含む許可番号リストとを記憶した親機記憶部をさらに備え、
上記使用履歴情報送信部は、上記使用情報が、上記親機記憶部への上記拒否番号及び上記許可番号の少なくとも一方の個別の登録又は削除を示す情報である場合、上記使用情報を含む使用履歴情報を上記サーバに送信することを特徴とする電話機。
【請求項４】
上記使用履歴情報は、上記使用情報取得部が取得した上記使用情報と、ユーザが上記親機を使用した場合に、当該使用を示す情報とを、当該電話機の使用を示す情報として含むことを特徴とする請求項３に記載の電話機。
【請求項５】
上記使用履歴情報送信部は、上記使用情報が、上記親機記憶部に記憶した上記拒否番号及び上記許可番号の少なくとも一方の一括削除を示す情報である場合、上記使用情報を含む上記使用履歴情報を上記サーバに送信しないことを特徴とする請求項３又は４に記載の電話機。
【請求項６】
上記使用履歴情報送信部は、上記使用情報が、同じ回線で使用される他の電話機への上記拒否番号リスト及び上記許可番号リストの少なくとも一方の移動を示す情報である場合、上記使用情報を含む上記使用履歴情報を上記サーバに送信しないことを特徴とする請求項３又は４に記載の電話機。
【請求項７】
上記子機は、上記許可番号リストを記憶した子機記憶部を備え、
上記使用履歴情報送信部は、上記使用情報が、上記子機記憶部に記憶した上記許可番号リストの上記親機への転送を示す情報である場合、上記使用情報を含む上記使用履歴情報を上記サーバに送信しないことを特徴とする請求項３又は４に記載の電話機。
【請求項８】
公衆交換電話網に接続されている親機と、当該親機が受けた着信の転送を受ける子機とを含む電話機であって、
サーバと接続する接続部をさらに備え、
上記親機は、
ユーザが上記子機を使用した場合に、当該使用を示す情報である使用情報を取得する使用情報取得部と、
上記使用情報取得部が取得した上記使用情報を含む使用履歴情報を、上記接続部を介して上記サーバに送信する使用履歴情報送信部と、
を備えており、
上記子機は、ユーザが迷惑電話ではないと判断した電話番号である許可番号を含む許可番号リストを記憶した子機記憶部を備え、
上記使用履歴情報送信部は、ユーザが上記子機を使用して上記許可番号リストに追加又は削除した許可番号を、上記サーバに送信する
ことを特徴とする電話機。
【請求項９】
上記使用履歴情報は、上記使用情報取得部が取得した上記使用情報と、ユーザが上記親機を使用した場合に、当該使用を示す情報とを、当該電話機の使用を示す情報として含むことを特徴とする請求項８に記載の電話機。
【請求項１０】
上記使用履歴情報送信部は、ユーザが上記子機を使用して、上記許可番号リストに上記許可番号を追加又は削除した場合に、当該許可番号を上記サーバに送信する
ことを特徴とする請求項８又は９に記載の電話機。
【請求項１１】
上記使用履歴情報送信部は、ユーザが上記子機を使用して、上記許可番号リストを上記親機に転送した場合に、当該許可番号リストに含まれる許可番号を上記サーバに送信することを特徴とする請求項８又は９に記載の電話機。
【請求項１２】
上記親機は、上記許可番号を含む許可番号リストを記憶した親機記憶部を備え、
上記使用履歴情報送信部は、上記子機記憶部の上記許可番号リストに含まれる上記許可番号のうち、上記親機記憶部の上記許可番号リストに含まれていない上記許可番号を上記サーバに送信する
ことを特徴とする請求項８〜１１のいずれか１項に記載の電話機。
【請求項１３】
上記使用履歴情報送信部は、上記サーバに送信する上記許可番号を、さらに上記親機記憶部に送信することを特徴とする請求項１２に記載の電話機。
【請求項１４】
公衆交換電話網に接続されている親機と、当該親機が受けた着信の転送を受ける子機とを含む電話機を用いた通信方法であって、
上記電話機はサーバと接続する接続部をさらに備え、
ユーザが上記子機を使用した場合に、当該使用を示す情報である使用情報を上記親機において取得する使用情報取得ステップと、
上記使用情報取得ステップにおいて取得した上記使用情報を含む使用履歴情報を、上記接続部を介して上記サーバに送信する使用履歴情報送信ステップと、
を含み、
上記使用情報には、上記子機による発信動作又は当該動作による発信に関わる情報を含む発信情報が含まれていることを特徴とする通信方法。
【請求項１５】
公衆交換電話網に接続されている親機と、当該親機と通信可能に接続された子機とを含む電話機であって、
サーバと接続する接続部をさらに備え、
上記親機は、
ユーザが上記子機を使用した場合に、当該使用を示す情報である使用情報を取得する使用情報取得部と、
上記使用情報取得部が取得した上記使用情報を含む使用履歴情報を、上記接続部を介して上記サーバに送信する使用履歴情報送信部と、
を備えており、
上記使用情報には、上記子機による発信動作又は当該動作による発信に関わる情報を含む発信情報が含まれていることを特徴とする電話機。
【請求項１６】
上記使用履歴情報は、上記使用情報取得部が取得した上記使用情報と、ユーザが上記親機を使用した場合に、当該使用を示す情報とを、当該電話機の使用を示す情報として含むことを特徴とする請求項１５に記載の電話機。
【請求項１７】
請求項１〜１３、１５、１６のいずれか１項に記載の電話機と、
上記サーバと、
を含むことを特徴とする通信システム。
【発明の詳細な説明】
【技術分野】
【０００１】
本発明は、親機と子機とを含む電話機、通信方法、及び通信システムに関する。
【背景技術】
【０００２】
近年、勧誘やいたずらを目的とした迷惑電話の着信を自動的に拒否する電話機が開発されている。しかしながら、迷惑電話のために使用される電話番号（迷惑番号）は、日々、増大及び変化しているので、全ての迷惑番号を予め電話機に登録しておくことは困難である。そこで、特許文献１には、迷惑番号が記載された迷惑番号リストを管理する管理サーバから、所定のタイミングで、最新の迷惑番号リストを取得する電話機が記載されている。
【０００３】
特許文献１に記載された管理サーバは、通信ネットワークを介して、多数の電話機から、当該電話機が着信を受けるために使用された場合の着信履歴情報を受信する。着信履歴情報には、発信元の電話番号の情報と、その電話番号からの着信が過去に拒否又は許可されたという情報とが含まれている。管理サーバは、着信履歴情報を参照して、電話機によって着信を拒否された電話番号を、迷惑番号リストに記載する。管理サーバは、警察から提供されるブラックリスト情報の他に、多数の電話機から日々受信する着信履歴情報も用いて、迷惑番号リストを作成及び更新する。例えば、管理サーバは、複数の電話機から受信した着信履歴情報を参照して、一定数以上の電話機において着信を拒否された着信番号を迷惑番号リストに記載する。また、一定数以上の電話機において着信を許可された着信番号を、迷惑番号リストから削除する。それゆえ、電話機は、管理サーバから、常に、最新の迷惑番号リストを取得することができる。
【先行技術文献】
【特許文献】
【０００４】
【特許文献１】特開２０１４−７５５０号公報（２０１４年１月１６日公開）
【発明の概要】
【発明が解決しようとする課題】
【０００５】
しかしながら、特許文献１の迷惑番号リストを取得する電話機は、親機と子機とを備える電話機ではない。したがって、親機と子機とを備える電話機において、子機を使用して着信を受けた場合に、どのように着信履歴情報を取得して、迷惑番号リストを更新するのかが明らかではない。
【０００６】
また、特許文献１においては、ユーザが着信以外の目的で子機を使用した場合にも、その使用情報は迷惑番号リストに反映されない。例えば、ユーザが、子機を用いて、ある電話番号に自発的に発信した場合、発信先の電話番号は、迷惑電話の電話番号ではない可能性が高いと考えられる。しかしながら、発信先の電話番号の情報は、迷惑番号リストを作成するために使用されていない。また、ユーザが子機を操作して、電話機に迷惑番号を追加又は削除した場合、その迷惑番号に関する情報も、迷惑番号リストを作成するために使用されていない。そのため、迷惑番号リストには、迷惑電話ではない電話番号が誤って含まれていたり、迷惑電話であるはずの電話番号が含まれていなかったりする可能性がある。
【０００７】
本発明は、上記課題に鑑みてなされたものであり、その目的は、親機と子機とを備えた電話機を用いて、子機の使用を示す情報をサーバに提供することにある。
【課題を解決するための手段】
【０００８】
上記の課題を解決するために、本発明の一態様に係る電話機は、公衆交換電話網に接続されている親機と、当該親機が受けた着信の転送を受ける子機とを含む電話機であって、サーバと接続する接続部をさらに備え、親機は、ユーザが子機を使用した場合に、当該使用を示す情報である使用情報を取得する使用情報取得部と、使用情報取得部が取得した使用情報を含む使用履歴情報を、接続部を介してサーバに送信する使用履歴情報送信部とを備えている。
【発明の効果】
【０００９】
本発明の一態様によれば、親機と子機とを備えた電話機を用いて、子機の使用を示す情報をサーバに提供することができる。
【図面の簡単な説明】
【００１０】
【図１】一実施形態に係る電話機の要部構成を示すブロック図である。
【図２】一実施形態に係る電話機及びサーバが構成する通信システムの一例を示す図である。
【図３】一実施形態に係る電話機における使用履歴情報の一例を示す図である。
【図４】一実施形態に係る電話機における使用履歴情報の他の例を示す図である。
【図５】一実施形態に係る電話機における着信の許否判定処理の流れを示すフローチャートである。
【図６】一実施形態に係る電話機からサーバへのデータのアップロード及びダウンロード処理の流れを示すフローチャートである。
【図７】他の実施形態に係る電話機の要部構成を示すブロック図である。
【図８】他の実施形態に係る電話機からサーバへのデータアップロード処理の流れを示すフローチャートである。
【図９】他の実施形態に係る電話機からサーバへのデータアップロード処理の他の例を示すフローチャートである。
【図１０】他の実施形態に係る電話機からサーバへのデータアップロード処理の他の例を示すフローチャートである。
【図１１】他の実施形態に係る電話機からサーバへのデータアップロード処理の他の例を示すフローチャートである。
【発明を実施するための形態】
【００１１】
〔実施形態１〕
以下、本発明の実施の形態について、詳細に説明する。
【００１２】
[電話機１]
図１を用いて、本実施形態に係る電話機１の構成を説明する。図１は、電話機１の要部構成を示すブロック図である。図１に示すように、電話機１は、親機３及び子機４を備えている。電話機１は、接続部３０を介してサーバ１００に接続されている。親機３は、通信モジュール１０及び通信管理モジュール２０を含んでいる。電話機１は、例えば、ファクシミリ等であってもよい。
【００１３】
電話機１において、親機３と子機４とは、ＤＥＣＴ（Digital Enhanced Cordless Telecommunications）を介して通信可能に接続されている。また、親機３において、通信モジュール１０と通信管理モジュール２０とは、例えば、ＵＡＲＴ（Universal Asynchronous Receiver Transmitter）モジュールを用いて、通信することができるように構成されている。なお、通信管理モジュール２０は、図１に示すように、通信モジュール１０を搭載した電話機１に搭載されていてもよいし、電話機１とは別体であってもよい。また、親機３の構成要素は、通信モジュール１０と通信管理モジュール２０との２つのモジュールに分かれて含まれていなくてもよく、各構成要素が１つのモジュールにまとめて含まれていてもよい。
【００１４】
電話機１は、接続部３０を介して、サーバ１００に通信可能に接続されている。また、電話機１は、公衆交換電話網（ＰＳＴＮ；Public Switched Telephone Network）に接続されており、ＰＳＴＮを介して、他の電話機と接続されている。なお、電話機１は、図１に示すように、１つの接続部３０を介してサーバ１００及びＰＳＴＮに接続されていてもよいが、電話機１とＰＳＴＮとを接続する接続部及び電話機１とサーバ１００とを接続する接続部のように、別々の接続部を介してサーバ１００及びＰＳＴＮと接続されていてもよい。
【００１５】
電話機１とＰＳＴＮ及びサーバ１００との接続は、例えば、ＰＳＴＮを介して電話機１とサーバ１００とを接続するような１回線による接続であってもよいし、電話機１とＰＳＴＮを接続する回線と、電話機１とサーバ１００とを接続する回線とを用いる複数回線による接続であってもよい。ＰＳＴＮを介さない電話機１とサーバ１００との接続は、例えば、有線ＬＡＮ、無線ＬＡＮ、Bluetooth（登録商標）、ＷｉＦｉ（登録商標）等により電話機１に接続されている他の機器を介して、サーバ１００に接続することにより行うことができる。例えば、電話機１に接続部３０として、ＷｉＦｉ（登録商標）の通信回路を設け、ＷｉＦｉルーターを介してサーバ１００に接続してもよい。
【００１６】
電話機１は、サーバ１００が管理する迷惑番号リストＬ２を、他の電話機と共有する。電話機１及びサーバ１００は、本発明に係る通信システムを構成する。サーバ１００は、使用履歴情報Ｌ１及び迷惑番号リストＬ２が記録されたデータベースを管理する。なお、使用履歴情報Ｌ１を管理するサーバと、迷惑番号リストＬ２を管理するサーバとは、別であってもよい。
【００１７】
使用履歴情報Ｌ１は、子機４の使用履歴の情報を含むものである。また、使用履歴情報Ｌ１は、親機３の使用履歴の情報も含むことができる。迷惑番号リストＬ２は、迷惑電話の目的で使用されていると推定される電話番号（迷惑番号）のリストである。例えば、サーバ１００は、ＰＳＴＮを介して接続されている複数の電話機のうち、一定の割合以上の電話機の電話帳の拒否番号リストに登録されている電話番号を、迷惑番号リストＬ２に記載してもよい。なお、図１において、サーバ１００の使用履歴情報Ｌ１は、後述する図２の電話機１、１ａ〜１ｃごとに記録されてもよいし、複数の電話機の使用履歴の情報がまとめて１つの使用履歴情報Ｌ１に記録されてもよい。
【００１８】
[通信システム]
図２を用いて、通信システムの一例を説明する。図２に示す通信システムは、迷惑電話拒否サービスを実現するものである。図２に示すように、通信システムは、電話機１、１ａ〜１ｃ及びサーバ１００を備えている。サーバ１００は、インターネット回線網５経由でＰＣ２（Personal Computer）と通信可能に接続されている。ＰＣ２は、インターネット回線網５に接続可能な通信端末であれば、携帯電話機（スマートフォン）、タブレット等であってもよい。迷惑電話拒否サービスは、電話機１、１ａ〜１ｃにおいて迷惑電話の着信を拒否するサービスである。また、通信システムは、電話機１、１ａ〜１ｃの使用履歴、使用状況等をユーザがＰＣ２を用いて参照したり、当該情報をメールにてユーザに通知したりする、ＷＥＢ管理サービスを実現する。
【００１９】
図２に示すように、通信システムにおいて、電話機１、１ａ〜１ｃは、ＰＳＴＮ経由でサーバ１００と通信可能に接続される。電話機１、１ａ〜１ｃは、サーバ１００で管理する迷惑番号リストＬ２のデータをサーバ１００から取得して、自機の迷惑番号リストＬ２を管理している。具体的には、電話機１、１ａ〜１ｃは、所定期間ごと（例えば１日に１回）にサーバ１００へアクセスして、最新版の迷惑番号リストＬ２に更新するためのデータを取得し、自機が管理する迷惑番号リストＬ２を更新する。これにより、最新の迷惑番号リストＬ２によって迷惑電話の着信を拒否できる。
【００２０】
また、電話機１、１ａ〜１ｃは、例えば上記アクセス時に、ユーザによる各電話機１、１ａ〜１ｃの使用履歴を示す使用履歴情報（子機による発信、着信、電話帳への番号追加若しくは削除動作、又はこれらの動作により生じるイベントに関わる情報を含む）等の各種情報（端末情報）を、サーバ１００へ送信する。また、電話機１、１ａ〜１ｃは、例えば、各ユーザが使用する電話機１、１ａ〜１ｃに着信があった、迷惑電話であると判断した電話番号（迷惑番号）を示す迷惑電話情報を、ＰＳＴＮを通じてサーバ１００へ送信する。
【００２１】
サーバ１００は、電話機１、１ａ〜１ｃ又はＰＣ２から受信した各種情報（使用履歴情報を含む）や、警察から提供されるブラックリスト（迷惑番号のリスト）等を用いて、迷惑番号リストＬ２等の迷惑番号に関する情報を作成する。また、サーバ１００は、警察や業者等から提供された迷惑電話情報、又は電話機１、１ａ〜１ｃから受信した迷惑電話情報を用いて、迷惑番号リストＬ２を更新する。サーバ１００は、作成した情報を、必要に応じて電話機１、１ａ〜１ｃ又はＰＣ２に提供する。
【００２２】
具体的には、サーバ１００は、迷惑番号リストＬ２のデータを電話機１、１ａ〜１ｃに送信する。電話機１、１ａ〜１ｃは、サーバ１００から迷惑番号リストＬ２のデータをダウンロードして、自機の拒否番号リストを更新する。例えば、電話機１、１ａ〜１ｃは、所定期間ごと（例えば１日に１回）にサーバ１００へアクセスして、最新版の迷惑番号リストＬ２に更新するためのデータを取得し、自機が管理する拒否番号リストを更新してよい。これにより、電話機１、１ａ〜１ｃは、最新の拒否電話リストを参照して、迷惑電話の着信を拒否することができる。
【００２３】
また、サーバ１００は、所定期間ごとに（例えば電話機１、１ａ〜１ｃからアクセスがあったときに）、迷惑番号リストＬ２のデータ（最初は迷惑番号リストＬ２のすべてのデータ、その後は、最新版の迷惑番号リストＬ２に更新するためのデータのみ）を電話機１、１ａ〜１ｃに送信する。これにより、サーバ１００は、迷惑電話拒否サービスに加入するすべてのユーザの電話機１、１ａ〜１ｃに対して、最新の迷惑番号リストＬ２を提供できる。なお、サーバ１００に登録される最初の迷惑番号リストＬ２は、警察や業者等から提供された迷惑電話情報に基づいて生成されてもよい。
【００２４】
さらに、サーバ１００は、電話機１、１ａ〜１ｃから受信した使用履歴情報Ｌ１を、電話機１、１ａ〜１ｃのユーザとかかわりのある第三者（例えば、ユーザの家族）に提供する。第三者（例えば、ユーザの家族）は、ＰＣ２を用いてサーバ１００にアクセスを行うことにより、電話機１等の使用履歴情報Ｌ１を確認できる。また、サーバ１００は、電話機１等が拒否した電話番号の通知や、迷惑番号リストＬ２に対する操作があった旨の通知を、ＰＣ２に通知する。
【００２５】
なお、サーバ１００は、複数のサーバで実現されてもよい。この場合、通信システムは、例えば、サーバ１００の代わりに、迷惑番号リストＬ２を提供するサーバと、端末情報を提供するサーバとを備えてもよい。また、サーバ１００による各種情報（使用履歴情報Ｌ１及び迷惑番号リストＬ２を含む）の使用方法は、上述した例に限定されない。
【００２６】
（子機４）
図１に示すように、子機４は、使用情報通知部３１と操作部３２とを備えている。子機４は、親機３が受けた着信の転送を、ＤＥＣＴを介して受ける。また、子機４による他の電話機の発信は、ＤＥＣＴを介して親機３に送られ、親機３から発信される。
【００２７】
使用情報通知部３１は、ユーザの操作を操作部３２が受け付けた場合に、その子機４の使用を示す使用情報を作成し、作成した使用情報を、ＤＥＣＴを介して親機３に送信する。なお、「使用」には、ユーザが子機４を用いて発信したり、発信動作（例えば、受話器を挙げる）をしたり、着信を受けたりすることの他、電話帳（親機記憶部）１２に新しい電話番号を追加したり、電話帳１２から電話番号を削除したりすることも含まれる。
【００２８】
また、「使用情報」には、例えば、相手の電話番号、使用種別（発信、着信、電話帳１２への電話番号の登録又は削除等）、通話時間、着信日時、及び登録日時（そのイベントに関わる電話番号がリストに登録された日時）が含まれる。すなわち、使用情報には、発信情報（子機４による発信動作又は当該動作による発信に関わる情報を含む）、着信情報（子機４による着信動作又は当該動作による着信に関わる情報を含む）、電話帳１２への番号追加又は削除情報（子機４による電話帳への番号追加若しくは削除動作、又は当該動作による電話帳への番号追加若しくは削除に関わる情報を含む）などが含まれ得るが、これらに限定されない。
【００２９】
操作部３２は、ユーザからの、親機から転送された着信を受ける操作、他の電話機に発信する操作、電話帳１２に電話番号を追加又は削除する操作等を受け付ける。
【００３０】
（親機３）
＜通信モジュール１０＞
図１に示すように、親機３の通信モジュール１０は、操作部１１、電話帳１２、使用情報通知部１３、許否判定部１４、及び、使用情報取得部１５を備えている。通信モジュール１０は、ＰＳＴＮを介して、他の通信モジュールに発信したり、他の通信モジュールから着信を受けたりすることができる。
【００３１】
操作部１１は、通信モジュール１０から発信する操作、通信モジュール１０への着信を許可又は拒否する操作や、電話帳１２に電話番号を追加又は削除する操作等を受け付ける。
【００３２】
電話帳１２には、許可番号リスト及び拒否番号リストが記録されている。許可番号リストには、ユーザが着信を許可した（あるいは拒否していない）電話番号、及び、通信モジュール１０から発信した電話の発信先の電話番号が含まれる。また、拒否番号リストには、ユーザが着信を拒否した電話番号が含まれる。そのため、拒否番号リストに記載されている電話番号は、しつこい勧誘やいたずらなどを目的とする迷惑電話の発信元の電話番号等である可能性が高いと考えられる。
【００３３】
使用情報通知部１３は、使用情報取得部１５が取得した使用情報を、通信管理モジュール２０の使用情報取得部２１に送信する。
【００３４】
許否判定部１４は、通信モジュール１０が着信を受けた場合、その着信の許否を判定する。具体的な判定の方法については後述する。
【００３５】
使用情報取得部１５は、子機４の使用情報通知部３１から子機４の使用情報を取得し、使用情報通知部１３に出力する。使用情報取得部１５は、さらに、操作部１１が操作を受け付けた場合に、その親機３の使用を示す使用情報を取得して、使用情報通知部１３に出力する。また、使用情報取得部１５は、使用情報が示す使用に関わる電話番号を電話帳１２に出力し、電話帳１２に追加したり、電話帳１２から削除したりしてもよい。
【００３６】
なお、通信モジュール１０は、通信管理モジュール２０がサーバ１００からダウンロードした迷惑番号リストＬ２を用いて、電話帳１２の拒否番号リストを更新してもよい。例えば、迷惑番号リストＬ２に記載されている電話番号のうち、電話帳１２の拒否番号リスト及び許可番号リストの両方に記載されていない電話番号を、拒否番号リストに追加してもよい。
【００３７】
＜通信管理モジュール２０＞
親機３の通信管理モジュール２０は、使用情報取得部２１、使用履歴情報作成部２２（使用履歴情報送信部）、及び迷惑番号判定部２３を含んでいる。また、通信モジュール２０は、使用履歴情報Ｌ１及び迷惑番号リストＬ２を記録したデータベースを含んでいる。
【００３８】
使用情報取得部２１は、通信モジュール１０の使用情報通知部１３から使用情報を取得し、使用履歴情報作成部２２に出力する。
【００３９】
使用履歴情報作成部２２は、使用情報取得部２１が取得した使用情報を用いて、使用履歴情報Ｌ１を作成し、作成した使用履歴情報Ｌ１をサーバ１００に送信する。ここで、使用履歴情報作成部２２が作成する使用履歴情報Ｌ１には、子機４の使用情報通知部３１から取得した子機４の使用情報のみが含まれていてもよいし、子機４の使用情報と、親機３の使用を示す親機３の使用情報とが含まれていてもよい。
【００４０】
使用履歴情報Ｌ１が、子機４の使用情報と親機３の使用情報とを含む場合、子機４の使用情報と親機３の使用情報とが区別されていなくてもよい。すなわち、使用履歴情報Ｌ１には、子機４の使用情報と親機３の使用情報とが、電話機１の使用を示す使用情報として含まれていればよい。したがって、当該使用履歴情報Ｌ１を管理するサーバ１００は、子機４の使用履歴と親機３の使用履歴とを区別して管理しなくてもよい。
【００４１】
なお、使用情報には、ユーザが自発的に電話機１を使用した場合における使用情報のみが含まれていればよい。例えば、電話機１が自動的に発信した場合における使用情報は、使用情報から除かれてもよい。この構成では、電話機１が使用履歴情報Ｌ１をサーバ１００にアップロードするために発信した場合における使用情報が、電話機１の使用情報から除かれる。さらに、電話機１が迷惑番号リストＬ２をサーバ１００からダウンロードするために発信した場合における使用情報も、電話機１の使用情報から除かれる。
【００４２】
使用履歴情報Ｌ１の例として、発信履歴情報（発信動作又は当該動作による発信に関わる情報を含む）、着信履歴情報（着信動作又は当該動作による着信に関わる情報を含む）、電話帳への番号追加又は削除履歴情報（電話帳への番号追加若しくは削除動作、又は当該動作による電話帳への番号追加若しくは削除に関わる情報を含む）などが挙げられるが、これらに限定されない。
【００４３】
ここで、使用履歴情報Ｌ１の例について、図３及び４を参照して説明する。図３は、使用履歴情報Ｌ１の一例を示す図である。図３に示すように、使用履歴情報Ｌ１には、例えば、電話番号、通話時間、着信日時、使用種別、電話帳種別、登録リスト、及び登録日時（そのイベントに関わる電話番号が電話帳に登録された日時）の各リストが含まれていてよい。
【００４４】
使用種別には、例えば、ユーザによる電話機１の使用が、発信、着信、電話帳１２への番号追加又は削除等のうち、どのイベントであるかの情報が格納される。電話帳には、例えば、イベントの対象となった電話番号が、電話帳１２の許可番号リスト及び拒否番号リストのうち、どのリストに一致するかの情報が格納される。登録リストには、例えば、イベントの対象となった電話番号が、電話帳１２のどのリストに登録されたかの情報が格納される。
【００４５】
また、ユーザによる電話機１の使用が発信動作である場合、使用履歴情報Ｌ１は、例えば、図４に示すデータを含んでいてもよい。図４は、電話機１の使用が発信動作である場合の使用履歴情報Ｌ１の一例を示す図である。図４に示すように、使用履歴情報には、例えば、発信先の電話番号、発信回数、発信時の通話時間、発信日時、及び登録日時（イベントに関わる電話番号が電話帳に登録された日時）の各リストが含まれていてよい。
【００４６】
なお、電話機１の使用が発信動作である場合は、電話機１がＰＳＴＮに接続する動作（又はダイヤルアウトの動作）であってもよいし、受話器がオフフックされる動作であってもよい。あるいは、発信動作は、オフフックキー又はスピーカーホンキーが押下されることであってもよいし、タッチパネルがタッチされることであってもよい。受話器、オフフックキー、スピーカーホンキー、及びタッチパネルは、いずれも操作部１１に含まれる。特に、電話機１がダイヤルアウトの回数をカウントすることができない場合、電話機１が備えた受話器のオフフックの回数が、発信回数として、使用履歴情報Ｌ１に含まれてもよい。また、電話機１が、インターネット回線網５を介して、他の電話機１と接続する場合にも、オフフックの回数が、発信回数として使用履歴情報Ｌ１に含まれていてもよい。
【００４７】
サーバ１００は、使用履歴情報作成部２２から受信した使用履歴情報Ｌ１を、サーバ１００が管理するデータベース内に記録する。また、サーバ１００は、通信管理モジュール２０から受信した使用履歴情報Ｌ１を用いて、迷惑番号が記載された迷惑番号リストＬ２を作成する。
【００４８】
迷惑番号判定部２３は、サーバ１００から、迷惑番号リストＬ２を取得する。また、通信モジュール１０が着信を受けた場合、迷惑番号判定部２３は、通信モジュール１０の許否判定部１４から、着信番号（発信元の電話番号）を取得して、その着信番号が迷惑番号リストＬ２に記載されているか否かを判定する。そして、迷惑番号判定部２３は、判定結果を許否判定部１４に送信する。
【００４９】
（電話機１の動作１；着信の許否の判定）
図５を用いて、電話機１の動作を説明する。具体的には、通信モジュール１０が着信を受けて、その着信の許否を判定する場合における電話機１の動作の流れを説明する。図５は、上記の場合における親機３（通信モジュール１０及び通信管理モジュール２０）と子機４との各動作の流れを示すフローチャートである。
【００５０】
図５に示すように、まず、通信モジュール１０が着信を受ける（Ｓ１１）。
【００５１】
次に、許否判定部１４は、電話帳１２の拒否番号リスト及び許可番号リストを参照して、着信番号が、どちらかのリストに記載されているか否かを判定する（Ｓ１２）。
【００５２】
着信番号が拒否番号リスト及び許可番号リストのどちらかに記載されている場合（Ｓ１２でＹｅｓ）、許否判定部１４は、着信番号が拒否番号であるか否かを判定する（Ｓ１３）。
【００５３】
着信番号が拒否番号でない場合（Ｓ１３でＢ）、通信モジュール１０は、その着信番号からの着信を許可する（Ｓ１４Ａ）。換言すれば、通信モジュール１０は、着信を拒否しないことを決定する（なお、着信に応答するかしないかは、ユーザが判断する）。そして、通信モジュール１０は、許可した着信を子機４に転送する（Ｓ１８）。転送された着信を受けた子機４は、ユーザが着信に応答する操作をした場合には、通話を開始し（Ｓ６１）、通話終了時（Ｓ６２）にその旨を親機３の通信モジュール１０に通知する。
【００５４】
一方、着信番号が拒否番号である場合（Ｓ１３でＡ）、通信モジュール１０は、その着信番号からの着信を拒否する（Ｓ１４Ｂ）。例えば、通信モジュール１０は、電話の発信元に対して、着信を受けない旨を通知してもよい。
【００５５】
Ｓ１２において、着信番号が許可番号又は拒否番号ではない場合（Ｓ１２でＮｏ）、許否判定部１４は、通信管理モジュール２０の迷惑番号判定部２３に対して、着信番号を送信する（Ｓ１５）。
【００５６】
迷惑番号判定部２３は、通信モジュール１０の許否判定部１４から、着信番号を受信する（Ｓ２１）。次に、迷惑番号判定部２３は、着信番号が迷惑電話の発信元の電話番号であるか否か、すなわち、着信番号が迷惑番号リストＬ２に記載されているか否かを判定する（Ｓ２２）。そして、迷惑番号判定部２３は、Ｓ２２における判定の結果を、通信モジュール１０の許否判定部１４に通知する（Ｓ２３）。
【００５７】
許否判定部１４は、通信管理モジュール２０の迷惑番号判定部２３から、着信番号が迷惑番号であるか否かの判定結果を受信する（Ｓ１６）。そして、許否判定部１４は、着信番号が迷惑番号であるか否かを判定する（Ｓ１７）。
【００５８】
着信番号が迷惑番号ではない場合（Ｓ１７でＮｏ）、通信モジュール１０は、その着信番号からの着信を許可する（Ｓ１４Ａ）。一方、着信番号が迷惑番号である場合（Ｓ１７でＹｅｓ）、通信モジュール１０は、その着信番号からの着信を拒否する（Ｓ１４Ｂ）。
【００５９】
以上で、通信モジュール１０が着信の許否を判定する場合における電話機１の動作は終了する。なお、上述した電話機１の動作の流れにおいて、拒否番号リスト及び許可番号リストに着信番号が記載されているか否かを判定するステップ（Ｓ１２）と、許否判定部１４が、着信番号が迷惑番号であるか否かを判定するステップ（Ｓ１７）とは、入れ替わってもよい。この構成では、通信モジュール１０は、Ｓ１７の処理を実行した後、着信番号が迷惑番号であるならば、Ｓ１３の処理を実行する一方、着信番号が迷惑番号ではないならば、Ｓ１５の処理を実行する。
【００６０】
（電話機１の動作２；使用履歴情報Ｌ１のアップロード及び迷惑番号リストＬ２のダウンロード）
図６を用いて、電話機１及びサーバ１００の動作を説明する。具体的には、親機３が、子機４の使用を示す使用情報を含む使用履歴情報Ｌ１をサーバ１００にアップロードするとともに、サーバ１００から、最新の迷惑番号リストＬ２をダウンロードする場合における電話機１及びサーバ１００の動作の流れ（通信方法）を説明する。図６は、上記の場合における子機４、親機３、及びサーバ１００の各動作の流れを示すフローチャートである。
【００６１】
図６に示すように、まず、子機４が使用され、操作部３２がユーザからの操作を受け付ける（Ｓ３１）。ここで、「使用」には、子機４が着信を受けること、及び子機４が発信することの他、電話帳１２に番号が追加又は削除されることも含まれる。ここでは、子機４が電話の発信のために使用されたとする。
【００６２】
次に、子機４の使用情報通知部３１は、子機４の使用の様態（発信先の電話番号、通話時間、発信日時等）に基づいて、子機４の使用情報を作成し、作成した使用情報を、ＤＥＣＴを介して親機３の通信モジュール１０に送信する（Ｓ３２）。
【００６３】
通信モジュール１０の使用情報取得部１５は、子機４から使用情報を受信する（Ｓ４１；使用情報取得ステップ）。そして、使用情報取得部１５が受信した使用情報は、使用情報通知部１３及び使用情報取得部２１を介して使用履歴情報作成部２２に送られる。使用履歴情報作成部２２は、この使用情報を用いて、使用履歴情報Ｌ１を作成する（Ｓ４２）。そして、使用履歴情報作成部２２は、作成した使用履歴情報Ｌ１を、接続部３０を介してサーバ１００にアップロードする（Ｓ４３；使用履歴情報送信ステップ）。
【００６４】
サーバ１００は、通信管理モジュール２０の使用履歴情報作成部２２から、使用履歴情報Ｌ１を受信する（Ｓ５１）。そして、サーバ１００は、受信した使用履歴情報Ｌ１を、データベースに記録する（Ｓ５２）。
【００６５】
また、サーバ１００は、データベースに記録した使用履歴情報Ｌ１を用いて、迷惑番号リストＬ２を更新してもよい（Ｓ５３）。例えば、使用履歴情報Ｌ１中に、現在の迷惑番号リストＬ２に含まれている電話番号が記載されていた場合、サーバ１００は、その電話番号を、迷惑番号リストＬ２から削除してもよい。このように、使用履歴情報Ｌ１は、サーバ１００によって、迷惑電話の発信元ではない電話番号の情報として利用される。
【００６６】
サーバ１００の迷惑番号リストが更新された場合、サーバ１００は、最新の迷惑番号リストＬ２を電話機１に送信する（Ｓ５４）。通信管理モジュール２０の迷惑番号判定部２３は、サーバ１００から、最新の迷惑番号リストＬ２をダウンロードする（Ｓ４４）。
【００６７】
以上で、通信管理モジュール２０の迷惑番号リストＬ２が更新される場合における電話機１の動作は完了する。図６に示すフローチャートにおいて、使用履歴情報作成部２２が使用履歴情報Ｌ１をサーバ１００にアップロードする（Ｓ４３）タイミングは、毎日の決められた時間であってもよいし、サーバ１００から指示された所定の時間でもよい。また、迷惑番号判定部２３が迷惑番号リストＬ２をダウンロードする（Ｓ４４）タイミングは、使用履歴情報Ｌ１の更新時であってもよいし、毎日の決められた時間でもよいし、サーバ１００から指示された所定の時間であってもよい。なお、電話機１は、サーバ１００に１回接続している間に、使用履歴情報作成部２２による使用履歴情報Ｌ１のサーバ１００へのアップロード、及び、迷惑番号判定部２３による迷惑番号リストＬ２のサーバ１００からのダウンロードを、どちらも行ってもよい。
【００６８】
（変形例１）
一変形例では、サーバ１００は、ＰＣ２（図２参照）からのアクセスに応じて、電話機１の使用履歴情報Ｌ１を閲覧することを許可してもよい。その際、サーバ１００は、電話機１ごとに付与されたアカウントを入力することを、サーバ１００にアクセスしてきた人物（電話機１のユーザ、又は、当該ユーザとかかわりのある第三者）に対して要求してもよい。
【００６９】
本変形例によれば、電話機１のユーザから遠く離れた地域にいる人物であっても、サーバ１００にアクセスし、電話機１の使用履歴を確認することによって、電話機１のユーザの状態（例えば、電話機１をどれぐらいの頻度で使用しているか、どの電話番号の相手とよく話をしているか）を知ることができる。
【００７０】
（変形例２）
他の変形例では、使用履歴情報作成部２２は、一定期間（又は現在まで）に電話機１が応答した着信の情報に基づいた使用履歴情報（例えば、電話番号、着信回数、通話時間、着信日時、及び、着信が拒否されたか否か等の情報を含む）をさらに作成してもよい。そして、作成した着信に基づく使用履歴情報をサーバ１００に送信してもよい。
【００７１】
本変形例では、サーバ１００は、発信に基づく使用履歴情報Ｌ１の他に、着信に基づく使用履歴情報Ｌ１も用いて、迷惑番号リストＬ２を更新する。例えば、サーバ１００は、電話機１のユーザが着信を拒否した電話番号を、迷惑番号リストＬ２に追加してもよい。
【００７２】
（変形例３）
他の変形例では、使用履歴情報作成部２２は、一定期間（又は現在まで）にユーザにより電話帳１２に電話番号が追加又は削除された情報に基づいた使用履歴情報（例えば、電話番号、その電話番号が追加されたリストの種類の情報等を含む）をさらに作成してもよい。
【００７３】
本変形例では、サーバ１００は、発信に基づく使用履歴情報Ｌ１又は着信に基づく使用履歴情報Ｌ１の他に、電話帳１２への電話番号の追加又は削除に基づく使用履歴情報Ｌ１も用いて、迷惑番号リストＬ２を更新する。例えば、サーバ１００は、電話機１のユーザが拒否番号リストに追加した電話番号を、迷惑番号リストＬ２に追加してもよい。
【００７４】
〔実施形態２〕
本発明の他の実施形態について、図７及び８に基づいて説明すれば、以下のとおりである。なお、説明の便宜上、実施形態１にて説明した部材と同じ機能を有する部材については、同じ符号を付記し、その説明を省略する。
【００７５】
図７は、実施形態２に係る電話機１の要部構成を示すブロック図である。図７に示すように、実施形態２に係る電話機１は、子機４が、電話帳（子機記憶部）３３をさらに含んでおり、親機３の通信モジュール１０が使用情報判定部１６をさらに含んでいる点において、実施形態１の電話機１と異なっている。
【００７６】
子機４が備える電話帳３３には、許可番号リストが記録されている。子機４の電話帳３３の許可番号リストは、親機３の電話帳１２からダウンロードした許可番号リストであってもよい。この場合に、ユーザが子機４を使用して電話番号を追加又は削除した許可番号リストを、親機３にアップロードして親機３と共有してもよいし、親機３にアップロードせずに子機４のみで参照するようにしてもよい。また、子機４の電話帳３３の許可番号リストは、親機３の電話帳１２とは独立しており、ユーザが子機４を使用して追加又は削除した電話番号のみを記録したものであってもよい。
【００７７】
通信モジュール１０の使用情報判定部１６は、使用情報取得部１５が取得した使用情報に基づいて、使用履歴情報Ｌ１を作成するか否かを判定する。使用情報判定部１６における判定の方法について、図８を参照して説明する。図８は、実施形態２に係る電話機１のデータアップロード処理の流れを示すフローチャートである。
【００７８】
図８に示すように、まず、子機４が使用され、操作部３２がユーザからの操作を受け付ける（Ｓ７１）。次に、子機４の使用情報通知部３１は、子機４の使用の様態に基づいて子機４の使用情報を作成し、作成した使用情報を、ＤＥＣＴを介して親機３の通信モジュール１０に送信する（Ｓ７２）。
【００７９】
通信モジュール１０の使用情報取得部１５は、子機４から使用情報を受信する（Ｓ８１）。使用情報取得部１５は、受信した使用情報を使用情報判定部１６に出力する。使用情報判定部１６は、使用情報に含まれる使用種別が、親機の電話帳１２又は子機の電話帳３３に電話番号を追加又は削除するイベントであるか否かを判定する（Ｓ８２）。
【００８０】
使用情報に含まれる使用種別が、電話帳１２又は電話帳３３に番号を追加又は削除するイベントではない、すなわち、発信、着信等である場合（Ｓ８２でＮｏ）、使用情報判定部１６は、使用情報通知部１３及び使用情報取得部２１介して、使用履歴情報作成部２２に使用情報を送る。そして、使用履歴情報作成部２２において、その使用情報を用いて、使用履歴情報Ｌ１を作成する（Ｓ８３）。
【００８１】
使用情報に含まれる使用種別が、電話帳１２又は電話帳３３への電話番号の追加又は削除である場合（Ｓ８２でＹｅｓ）、使用情報判定部１６は、さらに、当該使用種別が、電話帳１２又は電話帳３３への拒否番号及び許可番号の少なくとも一方の個別登録又は個別削除であるか否かを判定する（Ｓ８５）。使用種別が、電話帳１２又は電話帳３３への拒否番号及び許可番号の少なくとも一方の個別登録又は個別削除である場合（Ｓ８５でＹｅｓ）、使用情報判定部１６は、使用情報通知部１３及び使用情報取得部２１を介して、使用履歴情報作成部２２に使用情報を送る。そして、使用履歴情報作成部２２において、その使用情報を用いて使用履歴情報Ｌ１を作成する（Ｓ８３）。
【００８２】
使用履歴情報作成部２２は、作成した使用履歴情報Ｌ１を、接続部３０を介してサーバ１００にアップロードする（Ｓ８４）。
【００８３】
使用情報に含まれる使用種別が、電話帳１２又は電話帳３３への拒否番号及び許可番号の少なくとも一方の個別登録又は個別削除でない場合（Ｓ８５でＮｏ）、使用情報判定部１６は、使用情報を使用履歴情報作成部２２に送らずに処理を終了する。
【００８４】
すなわち、ユーザによる電話機１の使用が、電話帳１２又は電話帳３３に拒否番号及び許可番号の少なくとも一方を個別に登録又は削除する使用である場合には、ユーザが意図的又は積極的にその電話番号を拒否又は許可しようとしていると考えられるため、使用履歴情報Ｌ１を作成してサーバ１００にアップロードする。
【００８５】
一方、電話帳１２又は電話帳３３に拒否番号及び許可番号の少なくとも一方を個別に登録又は削除する使用ではない場合には、使用履歴情報Ｌ１を作成しない。したがって、ユーザによる電話機１の使用が、電話帳１２又は電話帳３３に拒否番号及び許可番号の少なくとも一方を個別に登録又は削除する使用ではない場合には、その使用を示す使用情報はサーバ１００に通知されず、サーバ１００において管理されない。
【００８６】
ここで、電話帳１２又は電話帳３３に拒否番号及び許可番号の少なくとも一方を個別に登録又は削除する使用ではない場合として、例えば、電話帳１２に含まれる拒否番号及び許可番号の少なくとも一方又は電話帳３３に含まれる許可番号を一括削除する場合、電話帳１２又は電話帳３３を他の電話機に移動させる場合、子機４の電話帳３３を親機３に転送する場合等が挙げられる。
【００８７】
このような、電話帳１２又は電話帳３３に拒否番号及び許可番号の少なくとも一方を個別に登録又は削除する使用ではない場合、ユーザが意図的又は積極的にその電話番号を拒否又は許可しようとしているわけではないと考えられる。したがって、そのような場合にまで使用履歴情報を作成してサーバ１００にアップロードしてしまうと、サーバ１００にとって有益ではない情報までサーバ１００に蓄積されてしまう。
【００８８】
本実施形態において、電話機１は、電話帳１２又は電話帳３３に拒否番号及び許可番号の少なくとも一方を個別に登録又は削除する使用ではない場合には、使用履歴情報を作成しないため、サーバ１００にとって不必要な情報はアップロードせず、サーバ１００にとって有益な情報のみをアップロードすることができる。その結果、サーバ１００が管理する迷惑番号リストの精度が向上する。また、サーバ１００にアップロードするデータ量及びアップロード通信時間を削減することができる。
【００８９】
なお、電話帳１２に含まれる拒否番号及び許可番号の少なくとも一方又は電話帳３３に含まれる許可番号を一括削除する場合とは、拒否番号又は許可番号を個別に選択することなく、すなわち、電話番号の許否を個別に判断することなく削除する場合を意味している。したがって、電話帳１２に含まれる拒否番号及び許可番号の少なくとも一方又は電話帳３３に含まれる許可番号を一括削除する場合には、電話帳１２又は電話帳３３に含まれる拒否番号又は許可番号の全てを削除する場合のみならず、複数の拒否番号又は許可番号をまとめて選択して削除する場合も含まれ得る。なお、電話帳１２又は電話帳３３に含まれる複数の拒否番号又は許可番号をまとめて削除する場合でも、番号を個別に選択する場合には、番号の許否を個別に判断していると考えられるため、一括削除ではないと判断する。
【００９０】
また、電話帳１２又は電話帳３３を他の電話機１に移動させる場合とは、電話機１に記憶された電話帳１２又は電話帳３３を、同じ回線で使用される他の電話機に引っ越しする場合を意味している。電話機１から他の電話機への電話帳１２又は電話帳３３の引っ越しは、例えば、電話機１の電話帳１２又は電話帳３３をＵＳＢ等によりメモリに移し、メモリに移された電話帳１２又は電話帳３３を他の電話機に読み込ませること等により行うことができる。また、電話機１を他の電話機と例えばシリアル通信によって接続して、電話帳１２又は電話帳３３を他の電話機に読み込ませてもよい。
【００９１】
さらに、子機４の電話帳３３を親機３に転送する場合とは、子機４の電話帳３３を、そのまま親機３に移動させる場合を意味している。
【００９２】
（変形例１）
実施形態２の一変形例では、子機４が電話帳３３を含んでいなくてもよい。子機４が電話帳３３を含んでいない構成においても、電話帳１２に含まれる拒否番号及び許可番号の少なくとも一方を一括削除する場合や、電話帳１２を他の電話機に移動させる場合に、使用情報判定部１６は、使用情報を使用履歴情報作成部２２に送らずに処理を終了する。
【００９３】
すなわち、本変形例においても、電話帳１２に含まれる拒否番号及び許可番号の少なくとも一方を一括削除する場合や、電話帳１２を他の電話機に移動させる場合には、使用履歴情報Ｌ１を作成せず、したがって、使用情報はサーバ１００に通知されない。したがって、本変形例によれば、サーバ１００にとって不必要な情報はアップロードせず、サーバ１００にとって有益な情報のみをアップロードすることができる。その結果、サーバ１００が管理する迷惑番号リストの精度が向上し、また、サーバ１００にアップロードするデータ量及びアップロード通信時間を削減することができる。
【００９４】
（変形例２）
他の変形例では、ユーザが子機４を使用して、子機４の電話帳３３に許可番号を追加又は削除する操作を行った場合に、当該使用を示す使用情報をサーバ１００に通知する。本変形例のデータアップロード処理の流れについて、図９を参照して説明する。
【００９５】
図９は、実施形態２に係る電話機１における変形例のデータアップロード処理の流れを示すフローチャートである。なお、本変形例においては、実施形態２に係る電話機１は、使用情報判定部１６を含んでいない。図９に示すように、まず、ユーザが子機４を使用し、操作部３２が、ユーザが子機４の電話帳３３に許可番号を追加又は削除する操作を受け付ける（Ｓ９１）。次に、子機４の使用情報通知部３１は、子機４の使用の様態に基づいて子機４の使用情報を作成し、作成した使用情報を、ＤＥＣＴを介して親機３の通信モジュール１０に送信する（Ｓ９２）。
【００９６】
使用情報取得部１５は、子機４からの使用情報を受信する（Ｓ１０１）。この使用情報には、ユーザが電話帳３３に追加又は削除した許可番号を含む許可番号リストの情報が含まれる。使用情報取得部１５は、使用情報通知部１３及び使用情報取得部２１を介して、使用履歴情報作成部２２に使用情報を送る。そして、使用履歴情報作成部２２において、当該使用情報を含む使用履歴情報Ｌ１を作成する（Ｓ１０２）。使用履歴情報作成部２２は、作成した使用履歴情報Ｌ１を、接続部３０を介してサーバ１００にアップロードする（Ｓ１０３）。
【００９７】
このように、ユーザが子機４を使用して、子機４の電話帳３３に許可番号を追加又は削除する操作を行った場合には、当該使用を示す使用情報を含む使用履歴情報Ｌ１を作成し、サーバ１００にアップロードするので、当該使用履歴情報Ｌ１に基づいてサーバ１００が管理する迷惑番号リストＬ２を更新することができる。これにより、サーバ１００が管理する迷惑番号リストの精度が向上する。
【００９８】
なお、変形例２において、使用情報取得部１５は、取得した使用情報に含まれる許可番号リストの情報を、電話帳１２の許可番号リストに追加する処理も合わせて行ってもよい。
【００９９】
（変形例３）
他の変形例では、ユーザが子機４を使用して、子機４の電話帳３３に許可番号を追加又は削除する操作を行った場合に、当該使用に係る許可番号が親機３の電話帳１２に含まれているか否かを判定する。本変形例のデータアップロード処理の流れについて、図１０を参照して説明する。
【０１００】
図１０は、実施形態２に係る電話機１における他の変形例のデータアップロード処理の流れを示すフローチャートである。図１０に示すように、まず、ユーザが子機４を使用し、操作部３２が、子機４の電話帳３３に許可番号を追加又は削除する操作を受け付ける（Ｓ１１１）。次に、子機４の使用情報通知部３１は、子機４の使用の様態に基づいて子機４の使用情報を作成し、作成した使用情報を、ＤＥＣＴを介して親機３の通信モジュール１０に送信する（Ｓ１１２）。
【０１０１】
使用情報取得部１５は、子機４からの使用情報を受信する（Ｓ１２１）。使用情報判定部１６は、使用情報取得部１５が受信した使用情報に含まれる許可番号リストの情報が、親機３の電話帳１２の許可番号リストに含まれているか否かを判定する（Ｓ１２２）。使用情報に含まれる許可番号リストの情報が、電話帳１２の許可番号リストに含まれていない場合（Ｓ１２２でＮｏ）、使用情報判定部１６は、使用情報通知部１３及び使用情報取得部２１を介して、使用履歴情報作成部２２に使用情報を送る。そして、使用履歴情報作成部２２において、この使用情報を用いて使用履歴情報Ｌ１を作成する（Ｓ１２３）。使用履歴情報作成部２２は、作成した使用履歴情報Ｌ１を、接続部３０を介してサーバ１００にアップロードする（Ｓ１２４）。
【０１０２】
そして、使用情報に含まれる許可番号リストの情報が、電話帳１２の許可番号リストに含まれている場合（Ｓ１２２でＹｅｓ）、使用情報判定部１６は、使用情報を使用履歴情報作成部２２に送らずに処理を終了する。
【０１０３】
すなわち、ユーザが子機４の電話帳３３に追加又は削除した許可番号リストの情報が、すでに電話帳１２の許可番号リストに反映されている場合には、使用履歴情報Ｌ１を作成せず、したがって、使用情報はサーバ１００に通知されない。このように、本変形例においては、サーバ１００にとって不必要な情報はアップロードせず、サーバ１００にとって有益な情報のみをアップロードすることができる。その結果、サーバ１００にアップロードするデータ量及びアップロード通信時間を削減することができる。
【０１０４】
なお、変形例３において、使用情報に含まれる許可番号の情報が、電話帳１２の許可番号リストに含まれていない場合に、使用情報判定部１６は、使用情報に含まれる許可番号リストの情報を、電話帳１２の許可番号リストに追加する処理も合わせて行ってもよい。
【０１０５】
（変形例４）
他の変形例では、ユーザが子機４を使用して、子機４の電話帳３３に許可番号を追加又は削除する操作を行った場合に、当該操作時にはその使用情報を親機３には送信せず、ユーザが子機４の電話帳３３を親機３に転送する操作を行った場合に、追加又は削除された許可番号の情報を親機３に送信する。本変形例のデータアップロード処理の流れについて、図１１を参照して説明する。
【０１０６】
図１１は、実施形態２に係る電話機１における他の変形例のデータアップロード処理の流れを示すフローチャートである。図１１に示すように、まず、ユーザが子機４を使用し、操作部３２が、子機４の電話帳３３に許可番号を追加又は削除する操作を受け付ける（Ｓ１３１）。このとき、追加又は削除された許可番号の情報は、電話帳３３に反映されているが、その使用情報は親機３には通知されない。そして、ユーザが子機４を使用し、子機４の電話帳３３を親機３に転送する操作を、操作部３２が受け付ける（Ｓ１３２）。
【０１０７】
子機４の使用情報通知部３１は、子機４の使用の様態に基づいて子機４の使用情報を作成し、作成した使用情報を、ＤＥＣＴを介して親機３の通信モジュール１０に送信する（Ｓ１３３）。
【０１０８】
使用情報取得部１５は、子機４からの使用情報を受信する（Ｓ１４１）。使用情報判定部１６は、使用情報取得部１５が受信した使用情報に含まれる許可番号リストの情報が、親機３の電話帳１２の許可番号リストに含まれているか否かを判定する（Ｓ１４２）。使用情報に含まれる許可番号リストの情報が、電話帳１２の許可番号リストに含まれていない場合（Ｓ１４２でＮｏ）、使用情報判定部１６は、使用情報通知部１３及び使用情報取得部２１を介して、使用履歴情報作成部２２に使用情報を送る。そして、使用履歴情報作成部２２において、この使用情報を用いて使用履歴情報Ｌ１を作成する（Ｓ１４３）。また、使用情報判定部１６は、使用情報に含まれる許可番号リストの情報を、電話帳１２の許可番号リストに追加する（Ｓ１４４）。そして、使用履歴情報作成部２２は、作成した使用履歴情報Ｌ１を、接続部３０を介してサーバ１００にアップロードする（Ｓ１４５）。
【０１０９】
使用情報に含まれる許可番号リストの情報が、電話帳１２の許可番号リストに含まれている場合（Ｓ１４２でＹｅｓ）、使用情報判定部１６は、使用情報を使用履歴情報作成部２２に送らずに処理を終了する。
【０１１０】
すなわち、ユーザが子機４の電話帳３３に追加又は削除した許可番号リストの情報が、すでに電話帳１２の許可番号リストに反映されている場合には、使用履歴情報Ｌ１を作成せず、したがって、使用情報はサーバ１００に通知されない。そして、ユーザが子機４の電話帳３３に追加又は削除した許可番号リストの情報が、電話帳１２の許可番号リストに反映されていない場合には、その情報を電話帳１２の許可番号リストに追加すると共に、使用履歴情報Ｌ１を作成する。
【０１１１】
このように、サーバ１００にとって不必要な情報はアップロードせず、サーバ１００にとって有益な情報のみをアップロードすることができる。その結果、サーバ１００にアップロードするデータ量及びアップロード通信時間を削減することができる。
【０１１２】
なお、変形例４において、使用情報判定部１６による判定処理を行わずに、取得した使用情報を含む使用履歴情報Ｌ１を使用履歴情報作成部２２において作成し、サーバ１００にアップロードしてもよい。このとき、使用情報判定部１６による判定処理を行わずに、取得した使用情報に含まれる許可番号リストの情報を、電話帳１２の許可番号リストに追加する処理も合わせて行ってもよい。さらに、変形例４において、取得した使用情報に含まれる許可番号リストの情報を電話帳１２の許可番号リストに追加する処理を行わずに、使用履歴情報作成部２２において作成した使用履歴情報Ｌ１をサーバ１００にアップロードしてもよい。
【０１１３】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【０１１４】
実施形態１では、通信モジュール１０と通信管理モジュール２０とが一体である場合における電話機１の構成（図１）を説明した。しかしながら、本実施形態では、通信管理モジュール２０が通信モジュール１０と着脱可能に構成されており、通信モジュール１０と通信管理モジュール２０とが異なるハードウェア装置を構成している。
【０１１５】
本実施形態の構成によれば、通信管理モジュール２０が通信モジュール１０から着脱可能である。そのため、例えば、古い通信モジュール１０から通信管理モジュール２０を取り外し、新しい通信モジュール１０に装着しなおすことができ、通信管理モジュール２０を再利用することができる。
【０１１６】
〔実施形態４〕
本発明の他の実施形態について説明すれば、以下のとおりである。なお、説明の便宜上、前記実施形態にて説明した部材と同じ機能を有する部材については、同じ符号を付記し、その説明を省略する。
【０１１７】
実施形態１では、電話機１が、ＰＳＴＮを介して、他の電話機及びサーバ１００と接続されている構成を説明した（図２参照）。しかしながら、電話機１は、他の通信回線を使用して、他の電話機及びサーバ１００と通信を行ってもよい。本実施形態では、電話機１は、インターネットプロトコルに対応しており、ＬＡＮ（Local Area Network）及びインターネット回線網５を介して、他の電話機１及びサーバ１００と接続される。
【０１１８】
本実施形態では、使用履歴情報Ｌ１及び迷惑番号リストＬ２は、インターネット回線網５経由で、電話機１とサーバ１００との間で送受信される。
【０１１９】
本実施形態の構成によれば、電話機１は、ＩＰ（Internet Protocol）電話サービスを利用することができる。したがって、電話機１のユーザは、ＰＳＴＮの使用権を取得する必要なしに、他の電話機１と通話（発信・着信）することができる。
【０１２０】
さらに、電話機１は、他の電話機１とはＰＳＴＮを介して接続され、サーバ１００とはインターネット回線網５などを介して接続されてもよい。
【０１２１】
〔実施形態５〕
本発明の他の実施形態について説明すれば、以下のとおりである。なお、説明の便宜上、前記実施形態にて説明した部材と同じ機能を有する部材については、同じ符号を付記し、その説明を省略する。
【０１２２】
本実施形態において、子機４は、ＤＥＣＴを介して親機３に通信可能に接続されているが、親機３が受けた着信の転送は受けない。子機４は、その使用を示す使用情報を、ＤＥＣＴを介して親機３に送信する。子機４は、親機３からデータの転送を受けるようになっていてもよいし、受けないようになっていてもよい。親機３と子機４との間の通信形態及び電話機１とサーバ１００との間の通信形態については、上述した各実施形態と同様である。なお、親機３と子機４との間の通信は、ＤＥＣＴ以外のプロトコルを用いて行ってもよい。
【０１２３】
このような子機４の例として、ドアセンサ、ＴＶ等のリモコン、カメラ、インターホン等が挙げられる。この場合、電話機１は、例えば、ドアセンサが検知したドアが開いたという履歴、リモコンが操作された（見守り）という履歴、カメラに誰かが写ったという履歴、インターホンが利用されたという履歴等を、使用履歴情報Ｌ１としてサーバ１００に送信する。したがって、このような電話機１を、例えば自宅等に設置することによって、ユーザは、サーバ１００にアクセスして電話機１の使用履歴情報Ｌ１を参照すれば、留守中の自宅のセキュリティ状況を確認することができる。
【０１２４】
〔ソフトウェアによる実現例〕
子機４の制御ブロック（特に、操作部３２及び使用情報通知部３１）、通信モジュール１０の制御ブロック（特に、操作部１１、使用情報通知部１３、許否判定部１４、及び使用情報取得部１５）、及び、通信管理モジュール２０の制御ブロック（特に、使用情報取得部２１、使用履歴情報作成部２２、及び迷惑番号判定部２３）は、集積回路（ＩＣチップ）等に形成された論理回路（ハードウェア）によって実現してもよいし、ＣＰＵ（Central Processing Unit）を用いてソフトウェアによって実現してもよい。
【０１２５】
後者の場合、子機４、通信モジュール１０、及び通信管理モジュール２０は、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）などを備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２６】
〔まとめ〕
本発明の態様１に係る電話機（１）は、公衆交換電話網に通信可能に接続されている親機（３）と、当該親機が受けた着信の転送を受ける子機（４）とを含む電話機であって、サーバ（１００）と接続する接続部をさらに備え、親機は、ユーザが上記子機を使用した場合に、当該使用を示す情報である使用情報を取得する使用情報取得部（１５）と、使用情報取得部が取得した使用情報を含む使用履歴情報を、上記接続部を介して上記サーバに送信する使用履歴情報送信部（使用履歴情報作成部２２）とを備えている。
【０１２７】
上記の構成によれば、ユーザによる親機の使用だけでなく、ユーザによる子機の使用を示す使用情報を含む使用履歴情報も、電話機の使用履歴情報を記録するサーバに送信される。そのため、サーバは、その情報を様々な用途に使用することができる。例えば、サーバは、子機の使用情報に基づいて、迷惑電話の発信先であると推定される迷惑番号リストを更新することによって、迷惑番号リストの精度を向上させることができる。また、第三者が、サーバにアクセスして、電話機の使用履歴情報を参照することによって、電話機のユーザが、電話機を用いて、どのような発信をしているのかを知ることができる。
【０１２８】
本発明の態様２に係る電話機（１）は、態様１において、使用履歴情報は、使用情報取得部（１５）が取得した使用情報と、ユーザが親機（３）を使用した場合に、当該使用を示す情報とを、当該電話機の使用を示す情報として含んでもよい。
【０１２９】
上記の構成によれば、サーバは、子機の使用情報と共に、親機の使用情報に基づいて、迷惑番号リストを更新することができる。したがって、迷惑電話番号のリストの精度をより向上させることができる。
【０１３０】
本発明の態様３に係る電話機（１）は、態様１又は２において、親機（３）は、ユーザが迷惑電話であると判断した電話番号である拒否番号を含む拒否番号リストと、ユーザが迷惑電話ではないと判断した電話番号である許可番号を含む許可番号リストとを記憶した親機記憶部（電話帳１２）をさらに備え、使用履歴情報送信部（使用履歴情報作成部２２）は、使用情報が、親機記憶部への拒否番号及び許可番号の少なくとも一方の個別の登録又は削除を示す情報である場合、使用情報を含む使用履歴情報をサーバ（１００）に送信してもよい。
【０１３１】
上記の構成によれば、ユーザが意図的又は積極的にその電話番号を拒否又は許可しようとしている場合に、その使用情報を含む使用履歴情報をサーバに送信するので、サーバにとって有益な情報をアップロードすることができる。その結果、サーバが管理する迷惑番号のリストの精度がより向上する。
【０１３２】
本発明の態様４に係る電話機（１）は、態様３において、使用履歴情報送信部（使用履歴情報作成部２２）は、使用情報が、親機記憶部（電話帳１２）に記憶した拒否番号及び許可番号の少なくとも一方の一括削除を示す情報である場合、使用情報を含む使用履歴情報をサーバ（１００）に送信しなくてもよい。
【０１３３】
上記の構成によれば、ユーザが意図的又は積極的にその電話番号を拒否又は許可しようとしていない場合には、その使用情報を含む使用履歴情報をサーバに送信しないため、サーバにとって不必要な情報はアップロードせず、サーバにとって有益な情報のみをアップロードすることができる。その結果、サーバが管理する迷惑番号リストの精度が向上する。また、サーバにアップロードするデータ量及びアップロード通信時間を削減することができる。
【０１３４】
本発明の態様５に係る電話機（１）は、態様３において、使用履歴情報送信部（使用履歴情報作成部２２）は、使用情報が、同じ回線で使用される他の電話機への拒否番号リスト及び許可番号リストの少なくとも一方の移動を示す情報である場合、上記使用情報を含む上記使用履歴情報を上記サーバに送信しなくてもよい。
【０１３５】
上記の構成によれば、ユーザが意図的又は積極的にその電話番号を拒否又は許可しようとしていない場合には、その使用情報を含む使用履歴情報をサーバに送信しないため、サーバにとって不必要な情報はアップロードせず、サーバにとって有益な情報のみをアップロードすることができる。その結果、サーバが管理する迷惑番号リストの精度が向上する。また、サーバにアップロードするデータ量及びアップロード通信時間を削減することができる。
【０１３６】
本発明の態様６に係る電話機（１）は、態様３において、子機（４）は、許可番号リストを記憶した子機記憶部（電話帳３３）を備え、使用履歴情報送信部（使用履歴情報作成部２２）は、使用情報が、子機記憶部に記憶した許可番号リストの親機（３）への転送を示す情報である場合、使用情報を含む使用履歴情報をサーバ（１００）に送信しなくてもよい。
【０１３７】
上記の構成によれば、ユーザが意図的又は積極的にその電話番号を拒否又は許可しようとしていない場合には、その使用情報を含む使用履歴情報をサーバに送信しないため、サーバにとって不必要な情報はアップロードせず、サーバにとって有益な情報のみをアップロードすることができる。その結果、サーバが管理する迷惑番号リストの精度が向上する。また、サーバにアップロードするデータ量及びアップロード通信時間を削減することができる。
【０１３８】
本発明の態様７に係る電話機（１）は、態様１又は２において、子機（４）は、ユーザが迷惑電話ではないと判断した電話番号である許可番号を含む許可番号リストを記憶した子機記憶部（電話帳３３）を備え、使用履歴情報送信部（使用履歴情報作成部２２）は、ユーザが子機を使用して許可番号リストに追加又は削除した許可番号を、サーバ（１００）に送信してもよい。
【０１３９】
上記の構成によれば、ユーザが子機記憶部の許可番号リストに追加又は削除した許可番号を、サーバにアップロードする。したがって、サーバは、当該許可番号に基づいて迷惑番号リストを更新することが可能であり、サーバが管理する迷惑番号リストの精度が向上する。
【０１４０】
本発明の態様８に係る電話機（１）は、態様７において、使用履歴情報送信部（使用履歴情報作成部２２）は、ユーザが子機（４）を使用して、許可番号リストに許可番号を追加又は削除した場合に、当該許可番号をサーバ（１００）に送信してもよい。
【０１４１】
上記の構成によれば、ユーザが子機記憶部の許可番号リストに許可番号を追加又は削除した場合に、当該許可番号をサーバにアップロードする。したがって、サーバは、当該許可番号に基づいて迷惑番号リストを更新することが可能であり、サーバが管理する迷惑番号リストの精度が向上する。
【０１４２】
本発明の態様９に係る電話機（１）は、態様７において、使用履歴情報送信部（使用履歴情報作成部２２）は、ユーザが子機（４）を使用して、許可番号リストを親機（３）に転送した場合に、当該許可番号リストに含まれる許可番号をサーバ（１００）に送信してもよい。
【０１４３】
上記の構成によれば、ユーザが子機記憶部の許可番号リストに追加又は削除した許可番号を、子機から親機への許可番号リストの転送時に、サーバにアップロードする。したがって、サーバは、当該許可番号リストに基づいて迷惑番号リストを更新することが可能であり、サーバが管理する迷惑番号リストの精度が向上する。
【０１４４】
本発明の態様１０に係る電話機（１）は、態様７〜９のいずれかにおいて、親機（３）は、許可番号を含む許可番号リストを記憶した親機記憶部（電話帳１２）を備え、使用履歴情報送信部（使用履歴情報作成部２２）は、子機記憶部（電話帳３３）の許可番号リストに含まれる許可番号のうち、親機記憶部の許可番号リストに含まれていない許可番号をサーバ（１００）に送信してもよい。
【０１４５】
上記の構成によれば、子機記憶部の許可番号リストに追加又は削除された許可番号のうち、親機記憶部の許可番号リストに含まれていない許可番号のみをサーバにアップロードする。すなわち、サーバにとって不必要な情報はアップロードせず、サーバにとって有益な情報のみをアップロードすることができる。その結果、サーバが管理する迷惑番号リストの精度が向上すると共に、サーバにアップロードするデータ量及びアップロード通信時間を削減することができる。
【０１４６】
本発明の態様１１に係る電話機（１）は、態様１０において、使用履歴情報送信部（使用履歴情報作成部２２）は、サーバ（１００）に送信する許可番号を、さらに親機記憶部（電話帳１２）に送信してもよい。
【０１４７】
上記の構成によれば、ユーザが子機記憶部の許可番号リストに追加又は削除した許可番号をサーバにおいて利用すると共に、親機においても利用することができる。
【０１４８】
本発明の態様１２に係る通信方法は、公衆交換電話網に接続されている親機（３）と、当該親機が受けた着信の転送を受ける子機（４）とを含む電話機（１）を用いた通信方法であって、電話機はサーバ（１００）と接続する接続部（３０）をさらに備え、ユーザが子機を使用した場合に、当該使用を示す情報である使用情報を親機において取得する使用情報取得ステップと、使用情報取得ステップにおいて取得した使用情報を含む使用履歴情報を、接続部を介してサーバに送信する使用履歴情報送信ステップと、を含む。上記の構成によれば、上記態様１に係る電話機と同様の効果を奏することができる。
【０１４９】
本発明の態様１３に係る電話機（１）は、公衆交換電話網に接続されている親機（３）と、当該親機と通信可能に接続された子機（４）とを含む電話機であって、サーバ（１００）と接続する接続部（３０）をさらに備え、親機は、ユーザが子機を使用した場合に、当該使用を示す情報である使用情報を取得する使用情報取得部（１５）と、使用情報取得部が取得した使用情報を含む使用履歴情報を、接続部を介してサーバに送信する使用履歴情報送信部（使用履歴情報作成部２２）とを備えている。
【０１５０】
上記の構成によれば、ユーザによる親機の使用だけでなく、ユーザによる子機の使用を示す使用情報を含む使用履歴情報も、電話機の使用履歴情報を記録するサーバに送信される。そのため、サーバは、その情報を様々な用途に使用することができる。例えば、子機として、ドアセンサ、ＴＶ等のリモコン、カメラ、インターホン等を用いた場合、ドアセンサが検知したドアが開いたという履歴、リモコンが操作された（見守り）という履歴、カメラに誰かが写ったという履歴、インターホンが利用されたという履歴等を、使用履歴情報として電話機からサーバに送信する。このような電話機を、例えば自宅等に設置することによって、ユーザは、サーバにアクセスして電話機の使用履歴情報を参照すれば、留守中の自宅のセキュリティ状況を確認することができる。
【０１５１】
本発明の態様１４に係る通信システム（電話機１、サーバ１００）は、態様１〜１１、１３のいずれかの電話機（１）と、サーバ（１００）と、を含む。
【０１５２】
上記の構成によれば、電話機と同様の効果を奏することができる。
【０１５３】
本発明の各態様に係る電話機（１）は、コンピュータによって実現してもよく、この場合には、コンピュータを電話機が備える各部（ソフトウェア要素）として動作させることにより電話機をコンピュータにて実現させる電話機の制御プログラム、及びそれを記録したコンピュータ読み取り可能な記録媒体も、本発明の範疇に入る。
【０１５４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１５５】
１    電話機
３    親機
４    子機
１２  電話帳（親機記憶部）
１５  使用情報取得部
２２  使用履歴情報作成部（使用履歴情報送信部）
３０  接続部
３３  電話帳（子機記憶部）
１００  サーバ
【図１】
0006552917.tif 000002
【図２】
0006552917.tif 000003
【図３】
0006552917.tif 000004
【図４】
0006552917.tif 000005
【図５】
0006552917.tif 000006
【図６】
0006552917.tif 000007
【図７】
0006552917.tif 000008
【図８】
0006552917.tif 000009
【図９】
0006552917.tif 000010
【図１０】
0006552917.tif 000011
【図１１】
0006552917.tif 000012